【手続補正書】
【提出日】平成18年10月16日(2006.10.16)
【手続補正１】
【補正対象書類名】明細書
【補正対象項目名】全文
【補正方法】変更
【補正の内容】
【書類名】      明細書
【発明の名称】  景品取得ゲーム装置
【特許請求の範囲】
【請求項１】  景品を支持する景品支持部と、
前記景品を取得可能な景品取得部を備える移動体と、
遊戯者の操作に応じて前記移動体を移動させる移動手段と、
前記移動手段を制御する移動制御手段とを備え、
前記景品取得部の先端に前記景品に係合する係合部材が設けられ、
前記移動制御手段は、前記移動体の移動により前記景品取得部が前記景品支持部の支持面の上方に位置した状態で、該景品支持部の奥側にて前記景品取得部の係合部が下降した後、該景品取得部が奥側より手前側に移動するように、前記移動手段を駆動制御することを特徴とする景品取得ゲーム装置。
【請求項２】  前記景品取得部先端の係合部材は下方へ指向した形状に形成されたことを特徴とする請求項１記載の景品取得ゲーム装置。
【請求項３】  前記景品取得部は上下または左右あるいは上下左右に曲げ弾性変形可能に形成されたことを特徴とする請求項１または請求項２記載の景品取得ゲーム装置。
【請求項４】  前記景品取得部は、鉛直面に沿った細長薄板よりなり、所定モーメント以上の上向きモーメントが該景品取得部に働いた場合に、該景品取得部は上方へ傾動しうるように構成されたことを特徴とする請求項１ないし請求項３いずれか記載の景品取得ゲーム装置。
【請求項５】  前記景品支持部の支持面は奥側から手前側に向って斜上方へ傾斜したことを特徴とする請求項１ないし請求項４いずれか記載の景品取得ゲーム装置。
【請求項６】  前記景品支持部の支持面傾斜角が調整可能となるように前記景品支持部が構成されたことを特徴とする請求項５記載の景品取得ゲーム装置。
【請求項７】  前記景品支持部の支持面の手前縁部分が上方へ傾斜または盛上がった形状に形成されたことを特徴とする請求項１ないし請求項４いずれか記載の景品取得ゲーム装置。
【請求項８】  遊戯者の操作により落下し払出し用開口部に引っかかった景品を、前記遊戯者に操作される移動体によって、前記景品をつぶさないように構成されたストップ機構を備えたことを特徴とする請求項１ないし請求項７いずれか記載の景品取得ゲーム装置。
【発明の詳細な説明】
【０００１】
【発明の属する技術分野】
本発明は、筐体内に配置された景品を遊戯者の操作により移動体を所要位置に移動させて取りに行く景品取得ゲーム装置に関するものである。
【０００２】
【従来の技術】
この種の景品取得ゲーム装置の一般的な例としては、透明な筐体内に載置された景品の上方をクレーンのように吊り下げられた開閉する掴持爪が前後左右に移動して狙った景品の真上に来るように遊戯者がボタン等の操作で行い、同位置で掴持爪を下降させて景品を掴みとり、掴持爪に掴み取られた景品は景品投入口まで運ばれて落下させられ景品取出口まで導かれて遊戯者によって取り出されるものがある。
【０００３】
【発明が解決しようとする課題】
かかる景品取得ゲーム装置の場合、景品は筐体内に重なるようにして積み上げられており、最上層に配置された景品しか取得できる可能性はなく、下の層に欲しい景品があったとしても上方から吊り下げられた掴持爪では掴み取ることはできない。
また下層に埋もれてしまった景品は、遊戯者の目に入らないことがある。
【０００４】
また狙った景品の前後位置を見定めるのが難しいため、一般に掴持爪を狙った景品の真上に位置させる操作が容易でなく、慣れない遊戯者には難し過ぎる傾向があり、プレイを敬遠する要因となっている。
【０００５】
本発明は、かかる点に鑑みなされたもので、その目的とする処は、筐体内に配置された全ての景品を遊戯者は見ることができ、かついずれの景品も狙って獲得できる可能性があるとともに、一般的に景品獲得のための操作が容易で繰り返しプレイする意欲を増すことができる景品取得ゲーム装置を供する点にある。
【０００６】
【課題を解決するための手段および作用効果】
請求項１記載の発明は、景品を支持する景品支持部と、前記景品を取得可能な景品取得部を備える移動体と、遊戯者の操作に応じて前記移動体を移動させる移動手段と、前記移動手段を制御する移動制御手段とを備え、前記景品取得部の先端に前記景品に係合する係合部材が設けられ、前記移動制御手段は、前記移動体の移動により前記景品取得部が前記景品支持部の支持面の上方に位置した状態で、該景品支持部の奥側にて前記景品取得部の係合部が下降した後、該景品取得部が奥側より手前側に移動するように、前記移動手段を駆動制御することを特徴とするものである。
【０００７】
請求項１記載の発明は、前記したように構成されているので、景品を支持する景品支持部の支持面の上方に景品取得部を位置させた状態で、該景品支持部の奥側にて前記景品取得部の係合部を下降させてから、該景品取得部を奥側より手前側に移動させることにより、前記景品支持部の支持面上の景品を掻落すことができる。
【０００８】
また、請求項２記載の発明は、請求項１記載の発明の景品取得ゲーム装置において、前記景品取得部先端の係合部材は下方へ指向した状態に形成されたことを特徴とするものである。
【０００９】
請求項２記載の発明は、前記したように構成されているので、景品取得部先端の係合部材を景品支持部の支持面上の景品を係合させ易い。
【００１０】
さらに、請求項３記載の発明は、請求項１または請求項２記載の景品取得ゲーム装置において、前記景品取得部は上下または左右あるいは上下左右に曲げ変形可能に形成されたことを特徴とするものである。
【００１１】
請求項３記載の発明は、前記したように構成されているので、たとえ、景品取得部先端の係合部材を景品支持部の支持面上の景品に係合させることができたとしても、その係合状態が適切でないと、前記景品取得部が曲げ変形を起して係合が外れ、景品の取得ができなくなる結果、ゲームの興趣を盛上げることができる。
【００１２】
そして、前記景品取得部が移動中に景品やその他の固定部分に接触しても、該景品取得部が弾性変形を起すため、該景品取得部や景品やその他の固定部分に無理な力が働かず、これらの損傷が避けられる。
【００１３】
さらにまた、請求項４記載の発明は、請求項１ないし請求項３いずれか記載の景品取得ゲーム装置において、前記景品取得部は、鉛直面に沿った細長薄板よりなり、所定モーメント以上の上向きモーメントが該景品取得部に働いた場合に、該景品取得部は上方へ傾動しうるように構成されたことを特徴とするものである。
【００１４】
請求項４記載の発明は、前記したように構成されているので、景品取得の際に景品取得部先端の係合部材が不適切に係合した場合には、該景品取得部に大きな上向きモーメントが働いて、該景品取得部は上方へ傾動してしまい、前記係合部材と景品との係合状態が解除され、ゲームに対する興味が高くなる。
【００１５】
さらに、請求項５記載の発明は、請求項１ないし請求項４いずれか記載の景品取得ゲーム装置において、前記景品支持部の支持面は奥側から手前側に向って斜上方へ傾斜したことを特徴とするものである。
【００１６】
請求項５記載の発明は、前記したように構成されているため、前記景品取得部先端の係合部を景品支持部上の景品に係合させて手前側に引寄せる際の引寄せ抵抗が増加して、前記景品より前記係合部が外れ易くなり、ゲームの難易度が増大して遊戯者の興趣が高められる。
【００１７】
さらにまた、請求項６記載の発明は、請求項５記載の景品取得ゲーム装置において、前記景品支持部の支持面傾斜角が調整可能となるように前記景品支持部が構成されたことを特徴とするものである。
【００１８】
請求項６記載のように発明を構成することにより、遊戯者の技量や景品取得ゲーム装置の設置個所の収益性を勘案して、前記景品支持部の支持面傾斜角を調整し、ゲームの難易度を適宜増減できる。
【００１９】
しかも、請求項７記載の発明は、請求項１ないし請求項４いずれか記載の景品取得ゲーム装置において、前記景品支持部の支持面の手前縁部分が上方へ傾斜または盛上がった形状に形成されたことを特徴とするものである。
【００２０】
請求項７記載のように発明を構成することにより、ゲームの難易度を増大させて、遊戯者の興趣を高めることができる。
【００２１】
さらに、請求項８記載の発明は、遊戯者の操作により落下し払出し用開口部に引っかかった景品を、前記遊戯者に操作される移動体によって、前記景品をつぶさないように構成されたストップ機構を備えたことを特徴とするものである。
【００２２】
請求項８記載の発明は、前記したように構成されているので、遊戯者の操作によって落下して払出し用開口部に引っかかった景品に移動体が接近し、この景品に移動体が触れようとした場合に、ストップ機構により該移動体が直ちに停止し、前記景品が前記移動体によって押つぶされることがない。
【００２３】
【発明の実施の形態】
以下一実施の形態について図１ないし図１１に図示し説明する。
本実施の形態の景品取得ゲーム装置１の全体外観図を図１に、同正面図を図２に、同側面図を図３に示す。
【００２４】
本景品取得ゲーム装置１は、左右に２台合体した構造をしており、左右略対称であり、基台２の上に矩形の筺体３が設置されており、筺体３の背板３ｂを除き正面および左右側面は透明板３ａで構成されている。
なお景品取得ゲーム装置としては、当然1台で構成されていてもよい。
【００２５】
該筺体３内において背板３ｂから前方（本景品取得ゲーム装置１において遊戯者がプレイする手前側を前、その反対の奥側を後とする）に向けて多数の支持片６が突設されており、支持片６は所定の高さに所定の間隔を存して左右に配列されて棚５を構成しており、同棚５が上下に４段形成されている。
【００２６】
図８ないし図１０に図示するように棚５は、底板15と後板16とでＬ字状に組み合わされた基板に前後長尺で底板15に垂直な姿勢で支持片６が左右に配列されて構成されている。
なお底板15は無くなくてもよい。
【００２７】
底板15は水平であり、同底板15に垂直な支持片６は前後に指向した上端縁６ａが若干前方に向け高くなるように傾斜しており、その前端に突部６ｂを有している。
なお前後に長尺の支持板６は、底板15よりもさらに前方へはみ出して突出している。
【００２８】
かかる支持片６が所定の間隔を存して配列されて棚５が構成され、景品４は、この棚５の数枚の支持片６に跨がって載置される。
この棚５に載置される景品４には、各種大小様々のものがある（図８参照）。
【００２９】
基台２の前面には操作卓７があり、同操作卓７には左右にそれぞれ２個の操作レバー８，９およびコイン投入口10が配設されている。
なお操作レバー８，９の先端には球状のランプ８ａ，９ａが設けられている。
【００３０】
右側の景品取得ゲーム装置１において右側の操作レバー８は、前後方向に揺動可能で通常手前に付勢されていて、遊戯者が後方へ揺動操作でき、また左側の操作レバー９は、左右方向に揺動可能であり、通常右側に付勢されていて、遊戯者が左方へ揺動操作できるようになっている。
【００３１】
操作卓７の下方の基台２の前面には景品取出口11が、左右にそれぞれ設けられている。
筺体３の底板である基台２の上板に設けられた景品投入口12から景品取出口11に至るまでシュート13が形成されている（図３参照）。
【００３２】
一方筺体３内において、棚５の前方に移動体55を上下左右および前後に移動する移動機構20が構成されており、同右側の移動機構20を図４ないし図６に基づき説明する。
筺体３の天井板３ｃに前後方向に指向した固定レール22が左右に一対敷設されており、両固定レール22，22にローラ23，23を介して移動枠体24が前後に移動自在に架設支持されている。
【００３３】
移動枠体24は、鉛直に延びた左右一対の鉛直レール25，25とその上端どうしを連結する水平連結部材26からなり、その両端の側面視三角形状のブラケット27，27に前記ローラ23，23が左右外側に突設され、固定レール22，22に転動自在に支持されて移動枠体24が吊設されている。
なお鉛直レール25，25の下端にもローラ28，28を有するブラケット29，29を有し、前後方向に指向した固定レール22ａ，22ａによって案内され、移動枠体24が斜行したりせず円滑に移動するようにしている。
【００３４】
図６を参照して天井板３ｃの後方の左右に２つの軸受部材30，30が取付けられ、両軸受部材30，30間に回転軸31が回転自在に架設され、同回転軸31の両端にプーリ32，32が嵌着され、その間にさらに１つのプーリ33が嵌着されている。
そしてプーリ32，32に対応して天井板３ｃの前方に軸受部材34，34に軸支されてプーリ35，35が設けられており、左右それぞれについて前後の対応するプーリ32，35の間にベルト36が架渡されていて、同ベルト36の一部が移動枠体24の水平連結部材26に固着されている。
【００３５】
一方前記回転軸31の前方に前後動モータ37が天井板３ｃに結着されて設けられており、同前後動モータ37の駆動軸に嵌着されたプーリ38と前記回転軸31に嵌着されたプーリ33との間にベルト39が架渡される。
したがって前後動モータ37が駆動されると、ベルト39を介して回転軸31が回転し、同回転軸31の回転はその両端のプーリ32，32を介してベルト36，36を回動させ、同ベルト36，36の回動はこれと結着された移動枠体24を前後に移動させることができる。
【００３６】
この移動枠体24の左右の鉛直レール25，25の各上部に軸受部材41，41が設けられ、同左右の軸受部材41，41に左右水平に回転軸42が軸支されており、同回転軸42の両端にプーリ43，43が嵌着され、両プーリ43，43の間にウオームホイール44が嵌着されている。
そして左右の鉛直レール25，25の各下部に軸受部材46，46に軸支されたプーリ47，47が上方のプーリ43，43に対応して設けられ、同上下の対応するプーリ43、47の間にベルト48が架渡される。
【００３７】
一方水平連結部材26の下面に駆動軸を前方に突出させて上下動モータ50が固着されており、駆動軸には前記ウオームホイール44に噛合するウオーム45が嵌着されている。
したがって上下動モータ50が駆動されると、ウオーム45とウオームホイール44の噛合を介して回転軸42が回転し、同回転軸42の回転は両端のプーリ43，43を介して左右のベルト48，48を回動する。
【００３８】
移動枠体24の左右の鉛直レール25，25間には水平昇降レール51が両端のローラ52を介して昇降自在に架設されており、前記左右のベルト48，48の一部が水平昇降レール51の両端にそれぞれ結着されている。
よって上下動モータ50の駆動により左右のベルト48，48を回動すると、水平昇降レール51が上下に平行移動する。
【００３９】
水平昇降レール51は、断面コ字状の左右方向に長尺の部材であり、後方に開口を向け昇降自在に架設されており、その内部に車輪54を介して移動体55が配設され、同移動体55は水平昇降レール51に案内されて左右に移動自在である。
【００４０】
図４を参照して水平昇降レール51の左右両端に設けられた端壁51ａ，51ａ間にボールねじ56が回転自在に架設され、同ボールねじ56は水平昇降レール51内を左右水平に延びて移動体55を貫通かつ螺合している。
【００４１】
そしてボールねじ56は、右端壁52を貫通して突出しており、その突出部にプーリ57が嵌着され、一方水平昇降レール51の右端部下面に左右動モータ60が固着されており、その右方向へ突出した駆動軸にプーリ61が嵌着され、同プーリ61と前記ボールねじ56の右端のプーリ57との間にベルト58が架渡されている。
【００４２】
したがって左右動モータ60が駆動されると、ベルト58を介してボールねじ56が回転し、同ボールねじ56の回転はこれと螺合する移動体55を水平昇降レール51に沿って左右水平方向に移動させる。
なお水平昇降レール51には、水平昇降レール51の前方を覆うように化粧カバー53が垂設されてモータ60やベルト58等を隠すようにしている。
【００４３】
移動体55は、水平昇降レール51の後方への開口から若干はみ出しており、同はみ出し部に矩形の支持板65が下半部を固着されて鉛直上方に延びている。
この支持板65の上半部にピボット軸66が後方へ突設されて同ピボット軸66に回動支持部材67がピボット軸66を中心に回動自在に軸支され、同回動支持部材67から後方へ２本のバー70，70が長尺に突出している。
【００４４】
この２本のバー70，70は、回動支持部材67の回転中心より変位した箇所から水平に互いに平行に突出しており、ピボット軸66を中心に旋回する。
正面視（図４）で回動支持部材67とバー70，70は、図示されないスプリングによりピボット軸66を中心に時計回りに付勢されており、２本のバー70，70が上側で同じ高さになる（２本のバー70，70を含む同一平面が水平になる）回動姿勢で係止部材（図示せず）により係止され、スプリングに抗して反時計回りにのみ回動可能である。
【００４５】
回動支持部材67の右側面から突起68が突設されており、この突起68に当接するローラ75が右側鉛直レール25の下部に内側に向けて突設されたブラケット76に軸支されて設けられている（図４参照）。
【００４６】
したがって移動体55が最も右側位置にあって下降し、図４に２点鎖線で示す位置まで下降すると、回動支持部材67から突出した突起68がローラ75に当接し、回動支持部材67をスプリングに抗して反時計回りに回動し、２本のバー70，70を含む同一平面が傾斜する。
なお２本のバー70，70を含む同一平面が傾斜するこの位置より若干上方位置に移動体55のホームポジションがある。
【００４７】
移動機構20は、以上のような構造をしている。
したがって移動体55は、旋回自在に２本のバー70，70を通常同一水平面を構成する姿勢で備え、コンピュータに制御されて左右動モータ60の駆動で水平昇降レール51に沿って左右に水平移動し、上下動モータ50の駆動で水平昇降レール51とともに鉛直レール25に沿って昇降し、前後動モータ37の駆動で移動枠体24とともに固定レール22に沿って前後に移動する。
【００４８】
以下本景品取得ゲーム装置１の動作を図８ないし図１１を参照しながら図７のフローチャートに従い説明する。
図８において右下隅がホームポジションＰ０であり、ゲーム開始前には、移動体55は、同ホームポジションＰ０に位置する。
遊戯者は、４段の棚５にそれぞれ配置された景品４を見て、気に入った景品４があれば、その景品４を狙ってゲームをすることになる。
【００４９】
遊戯者はまずコインをコイン投入口10に投入することで（ステップ１）、ゲームが開始する。
上昇用操作レバー８の先端の上昇ランプ８ａが点滅し（ステップ２）、遊戯者が操作レバー８を操作するまで（ステップ３）遊戯者に操作すべき操作レバー８を指示するので、遊戯者は操作レバー８を前方へ揺動して移動体55をホームポジションＰ０から上昇させる（ステップ４）。
【００５０】
遊戯者が操作レバー８の操作を停止するまで（ステップ５）、移動体55は上昇を続ける（ステップ４）ので、狙った景品４が載置された棚５の適当な高さ位置に上昇した時点で操作を停止し、移動体55の上昇を停止させる（ステップ６）。
図８において上昇を停止した位置を第１停止位置Ｐ１とする。
【００５１】
次に左動用操作レバー９の先端の左動ランプ９ａが点滅し（ステップ７）、遊戯者が操作レバー９を操作するまで（ステップ８）遊戯者に操作すべき操作レバー９を指示するので、遊戯者は操作レバー９を左方へ揺動して移動体55を第１停止位置Ｐ１から左方へ移動させる（ステップ９）。
【００５２】
遊戯者が操作レバー９の操作を停止するまで（ステップ１０）、移動体55は左動を続ける（ステップ９）ので、狙った景品４が載置された棚５の適当な左右位置に左動した時点で操作を停止し、移動体55の左動を停止させる（ステップ１１）。
図８において左動を停止した位置を第２停止位置Ｐ２とする。
この第２停止位置Ｐ２が遊戯者の操作による移動体55の移動の最終停止位置である。
【００５３】
図９はこのときの様子を示した例であり、移動体55から棚５へ向けて突出した２本のバー70，70が図示されている。
この移動体55の第２停止位置Ｐ２が、正面視で狙った景品４の略直下の適正位置にあれば、以後の移動体55の自動移動により景品４を獲得できる。
【００５４】
すなわち移動体55が第２停止位置Ｐ２に停止すると（ステップ１１）、以後自動的に移動体55は移動し、まず奥方向（後方）へ所定距離移動する（ステップ１２）。
移動体55が適正な高さ位置にあれば、図１０に示すように２本のバー70，70は、景品４のいくらか下方で棚５の１枚の支持片６の両側の間隙に挿入される。
【００５５】
２本のバー70，70の間隔は、支持片６，６間の間隔よりもいくらか大きい程度なので、バー70，70の先端が２本とも支持片６，６の先端面に同時に当接することはなく１本が当接しそうになってもバー70の先端が滑って支持片６，６間に入ってしまう。
【００５６】
次いで移動体55は所定若干距離上昇し（ステップ１３）、図１１に示すように景品４を２本のバー70が持ち上げるようにしてバー70上に移載する。
移動体55の第２停止位置Ｐ２が的確な位置にないと、景品４をバー70，70上に移載することはできない。
【００５７】
すなわちバー70，70が高過ぎると、バー70，70が景品４に正面から当たってしまい、低過ぎるとバー70，70が棚５の底板15の下方に挿入されてしまい上昇で底板15に当たってしまう。
また高さが適切であってもバー70，70の左右位置が景品４の略真下にないと、景品４を持ち上げようとしたときにバー70，70から落ちてしまう。
なおバ−70，70が景品４なり棚５に当たって所定以上の負荷が加わったときは、その駆動を直ぐに停止し、次の動作に移るようになっている。
【００５８】
ステップ１３でバー70，70を所定若干距離上昇させた後、移動体55を手前方向（前方）へ所定距離移動し（ステップ１４）、第２停止位置Ｐ２の若干上の位置に戻り、次いで移動体55を右方向へ移動して（ステップ１５）、第１停止位置Ｐ１の若干上の位置に戻る。
そして移動体55を景品回収位置まで下降する（ステップ１６）。
【００５９】
景品回収位置はホームポジションＰ０より若干下方位置にあり、図４に示すように景品回収位置にはブラケット76に支持されたローラ75が突設されており、下降してきた移動体55が同景品回収位置に至ると、ピボット軸66に回動自在に支持された回動支持部材67から突出した突起68がローラ75に当接し、回動支持部材67をスプリングに抗して反時計回りに回動し、回動支持部材67と一体の２本のバー70，70を傾ける（ステップ１７）。
【００６０】
したがってバー70，70上に景品４が載っていれば２本のバー70，70を含む同一平面が傾斜することで景品４を落下させることができ、落下した景品４はシュート13に案内されて景品取出口11に至り遊戯者が取り出すことができる。
【００６１】
次いで移動体55はホームポジションＰ０まで若干上昇し（ステップ１８）、ホームポジションＰ０で停止し（ステップ１９）、１プレイを終了しステップ１に戻る。
以上の移動体55の移動制御において、移動体55が上下動するときおよび、左右方向に移動するときは、フォークリフトが移動するようなそれぞれ特有の効果音が発せられる。
【００６２】
以上のように本景品取得ゲーム装置１は、筐体３内の背板３ｂより前方へ突出した上下４段の棚５に景品４が配列されるので、遊戯者は陳列された全ての景品４を狙い獲得することが可能である。
【００６３】
遊戯者は操作レバー８，９を操作して移動体55を上昇し左方へ移動して狙った景品４をバー70，70により掬い取ることができると思われる上下左右位置に移動体を位置決めするが、筐体３内の背面に配列された景品４の上下左右位置を見定めるのは前後位置を見定めるより簡単であり、よって一般的に遊戯者の移動体55の移動操作が容易であり繰り返しプレイする意欲を増進させることができる。
【００６４】
移動体55をホームポジションＰ０に戻すときに若干ホームポジションＰ０より下降した処で景品４を落下させるので、バー70，70上に移載できた景品４を落下させるために特別な動きを移動体55にさせる必要がなく、効率良く景品を取得させることができる。
【００６５】
また移動体55の上下動を利用して突起68がローラ75に当接してバー70，70を回動して景品４を落下させるので、景品４を落下させるために別途駆動機構を必要とせずコストを抑えることができる。
遊戯者は操作レバー８，９を揺動する操作で、移動体55を上下左右に移動させることができ、実際のフォークリフトを操作しているような疑似体験をすることができる。
【００６６】
以上の実施の形態では２本の操作レバー８，９をそれぞれ一方向に揺動操作するものであったが、ジョイスティックのように１本のレバーを前後左右に操作するようにしてもよく、また十字キーのようなものでも適用できる。
そして遊戯者の操作が上昇だけでなく下降もおよび左方向の移動だけでなく右方向の移動も制御できるようにしてもよい。
【００６７】
景品４を掬い取るバー70を２本としたが３本以上を同一水平面を構成するように設けてもよく、移載した景品４を落下させるのに、一部のバーまたは全部のバ−を下方へ揺動させるようにしてもよい。
また全部のバーまたは一部を残し他のバーを伸縮自在とし、移載した景品４を落下させるときに、バーを縮小して載置された景品を落下できるようにしてもよい。
【００６８】
前記実施の形態の筐体３内の棚５は４段としたが、５段以上または３段以下の棚段としてもよく、景品の大小によって段数を変更することができる。
【００６９】
またバー70，70の間隔は、一定であったが、この間隔を調整可能として、大きな景品を並べるときは間隔を広くし、小さい景品を並べるときは間隔を狭く予め設定するようにしてもよく。
さらには遊戯者が狙った景品が大きいときはバー間隔を広くし、景品が小さいときは狭く遊戯者自身が調整できるようにしてもよい。
【００７０】
前記実施の形態では、狙った景品の下方所要位置に対応する位置にバー70，70を遊戯者が移動操作したが、狙った景品に対応する位置にバー70，70を移動操作すれば、自動的にバー70，70が所定距離下降するようにしてもよく、こうすることにより遊戯者はバー70，70の位置決め操作が容易となる。
【００７１】
次に別の実施の形態に係る景品取得ゲーム装置80について、図１２にその要部を図示し説明する。
本景品取得ゲーム装置80では、前記実施の形態の棚５に相当するのが、背板から複数突設されたフック81であり、フック81は先端が若干上方に屈曲している。
また前記バー70，70に相当するのが、棒82の先端に皿状の受け部83を備えたものであり、全体でスプーン形状をしている。
【００７２】
景品85は、リング86が突設されていて、各フック81に１個ずつリング86を引っ掛けて吊設されている。
したがって図１２に実線で示すように景品85の下方所定位置に受け部83がくるように遊戯者が操作すれば、受け部83は自動制御されて所定距離上昇し、2点鎖線で示すように景品85を掬い上げ、景品85を受け部83に移載でき、このまま手前に移動すれば、リング86はフック81から確実に外れ、以後は前記実施の形態と同様にホームポジションに移動し、所定位置で受け部83を傾けることで景品85を落下させて獲得することができる。
【００７３】
以上の実施の形態では、筐体内の背面に棚なりフックを設けて景品を支持し手前側からバーなり受け部が景品を奥側に取りに行っていたが、これを逆にして透明な前壁の内面に棚またはフックを設けて景品を支持し、奥側からバーまたは受け部が手前側に景品を取りに来るようにしてもよく、こうすることでより景品が見易く、バーなり受け部を景品に合わせる移動操作も容易となる。
【００７４】
また遊戯者がバーや受け部を移動操作できるのは、上下方向と左右方向であったが、さらに操作部を追加して前後方向も遊戯者が移動操作できるようにしてもよく、こうすることで遊戯性を増すことができる。
【００７５】
なお棚やフックは固定されているが、これを種々移動変位するようにしてもよく、遊戯者は、景品を移載できる予想される位置にバーや受け部を位置させるよう移動操作することになり、一層遊戯性が増す。
【００７６】
前記実施形態においては、景品取得部は、景品支持部の支持面より下方に位置して奥側に移動するようになっているが、景品取得部の上面が景品支持部の支持面と同一または僅かに下方に位置した状態で奥側に移動するように構成してもよい。
【００７７】
次に、本出願の請求項１ないし請求項６記載の発明を、図１３ないし図４３に図示した実施形態について説明する。
【００７８】
図１ないし図１２に図示された実施形態においては、景品支持部たる棚５は、鉛直面に沿った多数の板状支持片６を左右間口方向に亘り一定間隔毎に配列することにより構成され、該支持片６は、その底部と奥部とを直角に折曲した底板15と後板16とを備えているが、本実施形態における景品取得ゲーム装置100では、図１３ないし図１９に図示されるように、棚101は、通常、コンビニエンスストア等に用いられている陳列棚のように構成されている。
【００７９】
すなわち、図１３に図示されるように、左右に棚柱102が鉛直に植設され、該棚柱102に上下方向に亘り多数の係止孔103とボルト孔104とが設けられ、図１５ないし図１７に図示される背当り105の両端に爪106とボルト孔107とが設けられており、この係止孔103に背当り105の爪106が係合されるとともに、背当り105のボルト孔107と棚柱102のボルト孔104とに貫通・螺合される図示されないボルトでもって、棚柱102に背当り105が着脱自在に装着されるようになっている。
【００８０】
また、図１８および図１９に図示されるように構成された棚受け109の基片110にボルト孔111が設けられ、このボルト孔111と背当り105の取付け孔108とに図示されないボルトが貫通されて、このボルトにナット（図示されず）が螺着されることにより、背当り105に棚受け109が着脱自在に取付けられるようになっている。
【００８１】
さらに、棚受け109の上下両端部は、棚正面から見て互違いに直角すなわちＺ状に折曲されて棚板取付け部112が形成され、この棚板取付け部112にネジ孔113が設けられており、棚板114が棚受け109の棚板取付け部112に載置されて、棚板114の孔（図示されず）を上方から下方へ貫通したネジ115が棚板取付け部112のネジ孔113に螺着されることにより、棚板114が棚受け109に一体に取付けられるようになっている。
【００８２】
なお、仕切板116は棚板114上を間口中央部にて左右に仕切る仕切板であり、棚板114上に景品４が左右に仕切られて不規則に載置されるようになっている。
【００８３】
しかも、前記棚受け109では、その側面視で、基片110と一方の棚板取付け部112ａとのなす角は８２°で、基片110と他方の棚板取付け部112ｂとのなす角は８８°となっており、一方の棚板取付け部112ａを上方に位置させて棚受け109を背当り105に取付けた場合の水平面に対する棚板114の傾斜角と、他方の棚板取付け部112ｂを上方に位置させて棚受け109を背当り105に取付けた場合の水平面に対する棚板114の傾斜角とは、６°の差を有するようになっている。
【００８４】
また、図１ないし図１２に図示の実施形態における景品取得ゲーム装置１の基台２から後板16迄の各構成部分に対し、図１３ないし図４３に図示の実施形態における景品取得ゲーム装置100の各構成部分は、略同様に構成されており、対応する部分にはそれぞれ同一の符号が付されている。
【００８５】
さらに、図１ないし図１２に図示の実施形態の移動機構20における符号22ないし53の各構成部分は、図１３ないし図４３に図示の実施形態の移動機構120のこれに対応した各構成部分にはそれぞれ同一の符号が付されている。
【００８６】
そして、図２０ないし図２５に図示されるように、水平昇降レール51の頂部51ａにネジ121が一体に突設され、該ネジ121を貫通して水平昇降レール51の頂部51ａに化粧カバー53の頂部53ａが載置されて、ナット122でもって水平昇降レール51に化粧カバー53が一体に装着されている。
【００８７】
また、水平昇降レール51の左右両端部近くの上部51ａと下部51ｂとの間にスクリューシャフト枢支片123が嵌装され、図２４に図示されるように、該スクリューシャフト枢支片123の上下部123ａ，123ｂが水平昇降レール51の上下部51ａ，51ｂにスポット溶接等で一体に固着され、該スクリューシャフト枢支片123にスクリューシャフト124が回転自在に枢支され、図２０および図２１に図示されるようにスクリューシャフト124の左端にドリブンプーリ125が一体に装着されている。
【００８８】
さらに、図２６および図２７に図示されるように、水平昇降レール51の左端近くの下部51ｂには、モータ取付け基板126の頂部126ａがスポット溶接等で一体に装着され、該モータ取付け基板126に取付け長孔126ｂが設けられ、図２８および図２９に図示されるように、この取付け長孔126ｂに対応した取付け孔127ａが設けられたモータ取付けブラケット127がモータ取付け基板126の前面に当てがわれ、この両取付け孔126ｂ，127ａを貫通して螺着されたネジ128でもってモータ取付け基板126にモータ取付けブラケット127が一体に装着されている。
【００８９】
さらに、モータ取付けブラケット127の左側前方折曲片127ｂには孔127ｃ（図２９参照）が設けられ、この孔127ｃにモータ129のシャフト軸支部129ａ（図２１参照）が嵌合され、図示されないネジ等によりモータ129はモータ取付けブラケット127の左側前方折曲片127ｂに一体に装着され、該モータ129の回転軸129ｂにドライブプーリ130が嵌着され、前記ドリブンプーリ125とドライブプーリ130とに無端ベルト131が架渡されており、モータ129が稼動状態になると、ドライブプーリ130，無端ベルト131およびドリブンプーリ125を介してスクリューシャフト124が回転駆動されるようになっている。
【００９０】
さらにまた、水平昇降レール51と一体のモータ取付け基板126の奥側面に図３０および図３１に図示のガートカバー132の装着片132ａが装着され、このガートカバー132でもってモータ129，ドリブンプーリ125，ドライブプーリ130および無端ベルト131等に景品４が当らないように保護されるようになっている。
【００９１】
しかも、水平昇降レール51の左側および右側において、ガートカバー132および水平昇降レール51の前方に位置して、図３２および図３３に図示されるセンサー取付けブラケット133が、図２１および図２２に図示されるようにネジ134によって水平昇降レール51の手前面部51ｃに一体に装着され、該センサー取付けブラケット133の折曲部133ａにレバー軸135が一体に取付けられ、該レバー軸135に逆Ｌ字状レバー136の一端が傾動自在に枢着され、該逆Ｌ字状レバー136の他端にバー137が貫通され、固定片138でもってバー137は逆Ｌ字状レバー136に一体に固定され、さらに、センサー取付けブラケット133の折返し部133ｂにセンサー取付け孔133ｃが設けられ、該センサー取付け孔133ｃに図２４および図２５に図示されるようにセンサー139が取付けられており、バー137が景品４に接して逆Ｌ字状レバー136が反時計方向へ傾動した場合に、該センサー139が動作して、水平昇降レール51の下降を停止させるようになっている。
【００９２】
また、水平昇降レール51内には、図３４および図３５に図示の横行体140の上下折曲片140ａ，140ｂが遊嵌され、図２３に図示されるように、該上折曲片140ａには左右２個所にガイドローラ141が回転自在に枢着されるとともに、下折曲片140ｂの中央に１個のガイドローラ142が枢着され、しかも横行体140の鉛直片140ｃには、ガイドローラ141の下方に位置して走行ローラ143が枢着され、横行体140の左側片140ｄには、図３５に図示の開口140ｅが形成され、この開口140ｅに図２３に図示の雌子144が嵌着され、該雌子144にスクリューシャフト124が螺合されており、モータ129の正逆転により、横行体140は左行または右行しうるようになっている。
【００９３】
さらに、図３４および図３５に図示されるように、横行体140の垂下片140ｆにドグ140ｇが形成され、図２１および図２３に図示されるように、水平昇降レール51の左右両側に、ドグセンサー取付けブラケット145が一体に装着され、該ドグセンサー取付けブラケット145にドグセンサー146が取付けられており、横行体140が左方へ走行しまたは右方へ走行して定位置に達すると、ドグセンサー146の検出信号でモータ129が停止されるようになっている。
【００９４】
さらにまた、図３９ないし図４１に図示される取得フォーク枢支体147の垂下片147ａが、図２５に図示されるように、横行体140の鉛直片140ｃ（図３５参照）にネジ等で一体に装着され、該取得フォーク枢支体147の水平片147ｂに、図４２および図４３に図示のフォークハウジング148の基片148ａが重ねられ、該フォークハウジング148の基片148ａの長孔148ｂと該基片148ａと一体の水平片148ｃの長孔148ｂとをそれぞれ貫通して前記取得フォーク枢支体147の水平片147ｂのネジ孔147ｃに螺着された２本のネジ149によってフォークハウジング148は取得フォーク枢支体147に一体に取付けられている。
【００９５】
しかも、図３７，図３８，図４２および図４３に図示されるように、このフォークハウジング148の垂直片148ｄの枢支部148ｅにフォーク基体150のシャフト150ａが嵌挿され、該枢支部148ｄより突出したシャフト150ａの端部にトルクリミッター151が一体に装着されており、該トルクリミッター151に内装されている図示されないコイルスプリングのバネ力によりフォークハウジング148の枢支部148ｄとトルクリミッター151とに摩擦力が生じ、この摩擦力により後記フォーク152が上方傾斜状態から水平状態に静かに傾動しうるようになっている。
【００９６】
また、フォーク基体150のシャフト150ａに直角状態で一体に嵌着された鉛直片150ｂの水平折曲片150ｃに水平片150ｄがスポット溶接等で一体に装着され、フォーク基体150の鉛直片150ｂの右側面に薄帯板状のフォーク152の基部が当てがわれ、さらにフォーク152の基部右側面にアングル状フォーク取付け部材153の鉛直片153ａが重ねられ、アングル状フォーク取付け部材153の水平片153ｂを貫通してフォーク基体150の水平片150ｄのネジ孔150ｅ（図４３参照）にネジ154（図３７参照）が螺着されるとともに、アングル状フォーク取付け部材153の鉛直片153ａとフォーク152の基部とを貫通してフォーク基体150の鉛直片150ｂのネジ孔（図示されず）に図示されないネジが螺着され、このネジによってフォーク152の基部はフォーク基体150の鉛直片150ｂとアングル状フォーク取付け部材153の鉛直片153ａとで強く狭着され、フォーク152はフォーク基体150のシャフト150ａに強固に結合されている。
【００９７】
さらに、図２５，図３６および図３７に図示されるように、マグネットキャッチ155が取得フォーク枢支体147の垂下片147ａに一体に装着され、該マグネットキャッチ155の磁石片155ａがフォーク基体150の水平片150ｃに当接されるようになっており、フォーク基体150のシャフト150ａを中心として上向き（図３６では反時計方向）のモーメントが作用した場合に、マグネットキャッチ155の吸引力によって、フォーク152は上向きに傾動することが阻止されるようになっている
。
【００９８】
さらにまた、図３６および図３７に図示されるように、フォーク152の先端に、左右１対の連結部材156を介して係合部材157が一体に装着され、しかも、図３９に図示の取得フォーク枢支体147の走行片147ｄに、図２０および図２５に図示のフォークカバー158が当てがわれ、ネジ159（図２５参照）によってフォークカバー158は取得フォーク枢支体147に一体に装着されている。
【００９９】
図１３ないし図４３に図示の実施形態は前記したように構成されているので、横行体140，フォーク基体150およびフォークカバー158のホームポジションは、図１ないし図１２に図示の実施形態と同様に、右下であって、遊戯者がコインをコイン投入口10に投入した後、操作レバー８を操作すると、水平昇降レール51，化粧カバー53，横行体140，フォーク基体150およびフォーク152は上昇し、その操作を停止すると、横行体140，フォーク基体150およびフォーク152はその位置で停止する。
【０１００】
次に、左動用操作レバー９を操作すると、横行体140，フォーク基体150およびフォーク152は左方へ移動し、その操作を停止すると、横行体140，フォーク基体150およびフォーク152はその位置で停止する。
【０１０１】
その後、所定時間経過してから、水平昇降レール51，化粧カバー53，横行体140，フォーク基体150およびフォーク152は奥に向って前進するが、フォーク152の先端の係合部材157の高さが低いと、棚板114上の景品４に衝突するが、フォーク152は弾性変形するので、景品４や移動機構120に過大な力が作用せず、これらの損傷が避けられる。
【０１０２】
さらに、フォーク152が棚101の奥迄達した後、水平昇降レール51，化粧カバー53，横行体140，フォーク基体150，フォーク152および係合部材157は手前に向って後退するが、係合部材157の位置が適切であれば、係合部材157が景品４と係合し、景品４は手前に向って引寄せられ、棚板114より手前側に落下し、投入口12からシュート13に案内され、景品取出口11から景品４の取出しが可能となる。
【０１０３】
しかし、棚板114上の景品４が立った状態や、盛った状態の個所に、係合部材157が係合した場合には、フォーク152に大きな上向きモーメントが働き、マグネットキャッチ155の磁力による下向きの拘束モーメントに打勝って、フォーク152が上方へ傾動し、景品４から、係合部材157が外れ、景品４の引落しが不可能となり、景品４の取り出しは失敗に終る。
【０１０４】
このように、横行体140，フォーク基体150，フォーク152，および係合部材157の停止位置が適切でないと、景品４の取り出しは失敗するため、遊戯者はプレイ意欲が高められる。
【０１０５】
また、景品４や移動機構120等に過大な力が働かないため、これらの損傷や故障が未然に阻止される。
【０１０６】
さらに、バー137が景品４等に衝突した場合、水平昇降レール51の下降が停止するようになっているが、水平昇降レール51の下降停止後、再上昇してから再び下降し、これを３回繰返して水平昇降レール51の下降が停止するようにしてもよい。      【０１０７】
さらにまた、トルクリミッター151が用いられていたが、流体の通過抵抗を利用したロータリダンパーをトルクリミッター151の代りに用いてもよい。
【図面の簡単な説明】
【図１】
一実施の形態に係る景品取得ゲーム装置の全体外観図である。
【図２】
同正面図である。
【図３】
同側面図である。
【図４】
移動体の移動機構を示す正面図である。
【図５】
同側面図である。
【図６】
同平面図である。
【図７】
本景品取得ゲーム装置の動作制御を示すフローチャートである。
【図８】
移動体の動きの例を示す説明図である。
【図９】
２本のバーが棚から景品を掬い取る一状態を示す斜視図である。
【図１０】
次の状態を示す同斜視図である。
【図１１】
さらに次の状態を示す同斜視図である。
【図１２】
別の実施の形態に係る景品取得ゲーム装置の要部斜視図である。
【図１３】
本出願の一実施形態における棚の正面図である。
【図１４】
図１３の側面図である。
【図１５】
背当りの側面図である。
【図１６】
背当りの要部背面図である。
【図１７】
背当りの要部正面図である。
【図１８】
棚受けの側面図である。
【図１９】
棚受けの背面図である。
【図２０】
水平昇降レールおよび化粧カバーの正面図である。
【図２１】
図２０の左端要部拡大正面図である。
【図２２】
図２０の右端要部拡大正面図である。
【図２３】
図２２の詳細をさらに図示した要部拡大正面図である。
【図２４】
図２１のＸＸＩＶ−ＸＸＩＶに沿って裁断截断した側面図である。
【図２５】
図２３のＸＸＶ矢視図である。
【図２６】
水平昇降レールの要部正面図である。
【図２７】
図２６の右側面図である。
【図２８】
モータ取付けブラケットの正面図である。
【図２９】
図２８の右側面図である。
【図３０】
ガードカバーの正面図である。
【図３１】
図３０の右側面図である。
【図３２】
センサー取付けブラケットの正面図である。
【図３３】
図３２の右側面図である。
【図３４】
横行体の正面図である。
【図３５】
図３４の右側面図である。
【図３６】
フォークおよび係合部材の側面図である。
【図３７】
図３６の平面図である。
【図３８】
図３６の正面図である。
【図３９】
取得フォーク枢支体の右側面図である。
【図４０】
図３９の平面図である。
【図４１】
図３９の正面図である。
【図４２】
フォークハウジングおよびフォーク基体の正面図である。
【図４３】
図４２の平面図である。
【符号の説明】
１…景品取得ゲーム装置、２…基台、３…筐体、４…景品、５…棚、６…支持片、７…操作卓、８，９…操作レバー、10…コイン投入口、11…景品取出口、12…景品投入口、13…シュート、15…底板、16…後板、
20…移動機構、22…固定レール、23…ローラ、24…移動枠体、25…鉛直レール、26…水平連結部材、27…ブラケット、28…ローラ、29…ブラケット、30…軸受部材、31…回転軸、32，33…プーリ、34…軸受部材、35…プーリ、36…ベルト、37…前後動モータ、38…プーリ、39…ベルト、
41…軸受部材、42…回転軸、43…プーリ、44…ウオームホイール、45…ウオーム、46…軸受部材、47…プーリ、48…ベルト、50…上下動モータ、51…水平昇降レール、52…ローラ、53…化粧カバー、
54…車輪、55…移動体、56…ボールねじ、57…プーリ、58…ベルト、60…左右動モータ、61…プーリ、
65…支持板、66…ピボット軸、67…回動支持部材、68…突起、70…バー、
75…ローラ、76…ブラケット、
80…景品取得ゲーム装置、81…フック、82…棒、83…受け部、85…景品、86…リング。
100…景品取得ゲーム装置、101…棚、102…棚柱、103…係止孔、104…ボルト孔、105…背当り、106…爪、107…ボルト孔、108…取付け孔、109…棚受け、110…基片、111…ボルト孔、112…棚板取付け部、113…ネジ孔、114…棚板、115…ネジ、116…仕切板、120…移動機構、121…ネジ、122…ナット、123…スクリューシャフト枢支片、124…スクリューシャフト、125…ドリブンプーリ、126…モータ取付け基板、127…モータ取付けブラケット、128…ネジ、129…モータ、130…ドライブプーリ、131…無端ベルト、132…ガートカバー、133…センサー取付けブラケット、134…ネジ、135…レバー軸、136…逆Ｌ字状レバー、137…バー、138…固定片、139…センサー、140…横行体、141，142…ガイドローラ、143…走行ローラ、144…雌子、145…ドグセンサー取付けブラケット、146…ドグセンサー、147…取得フォーク枢支体、148…フォークハウジング、149…ネジ、150…フォーク基体、151…トルクリミッター、152…フォーク、153…アングル状フォーク取付け部材、154…ネジ、155…マグネットキャッチ、156…連結部材、157…係合部材、158…フォークカバー、159…ネジ。